(57)【特許請求の範囲】
【請求項１】
床板の上に重量物を固定する際の重量物の設置構造であって、 
前記床板と前記重量物との間に介在させる前記重量物よりも平面積の大きな補強板と、 
前記補強板を通って前記床板に貫入されることによって双方を接合させる第１接合手段と、 
前記補強板及び前記床板に貫入されることによって前記重量物を前記床板に接合させる第２接合手段とを備え、
前記床板と前記補強板との間には、床仕上材が介在され、
前記第２接合手段により前記床板と前記補強板と前記床仕上材が接合されるとともに、
決められた位置に配置された床支持材に支持される前記床板としての床下地の上に重量物を固定するに際して、
前記補強板には、前記床下地上方の所定の位置に配置されたときに前記床支持材と干渉しない位置に、前記床下地を穿孔するための貫通孔が穿孔されていることを特徴とする重量物の設置構造。
【請求項２】
前記補強板には、前記第１接合手段を貫入させる位置に目印又は孔が設けられているとともに、
前記第１接合手段には、前記重量物に隠れて外部から視認できなくなる位置ではタッピンねじが使用され、外部から視認可能な位置には頭部がキャップで覆われたビスが使用されることを特徴とする請求項１に記載の重量物の設置構造。
【請求項３】
前記目印又は孔は、前記補強板が配置される建物の階数によっていずれを使用するかが判別可能となっていることを特徴とする請求項２に記載の重量物の設置構造。
【発明の詳細な説明】
【技術分野】
【０００１】
本発明は、建物の床板の上に重量物を固定する際の重量物の設置構造に関するものである。
【背景技術】
【０００２】
特許文献１に開示されているように、建物の床板の上に蓄電ユニットなどの重量のある設備を固定する際の設置構造が知られている。この特許文献１には、床下地板の上に補強板を敷いて、その補強板の上に蓄電ユニットを載せ、床下地板まで貫通させるネジで蓄電ユニットを固定する発明が開示されている。
【０００３】
また、特許文献２には、二重床構造のフリーアクセス床上に電子機器を設置する際の転倒防止装置が開示されている。この転倒防止装置は、支持床面とその上方のフリーアクセス床との間に配置されている。
【０００４】
さらに、特許文献３には、衛生設備を取り付けるためのフレームの下端を、床材を支持させる根太に直接、ボルトによって固定する設置構造が開示されている。
【先行技術文献】
【特許文献】
【０００５】
【特許文献１】特許第５４７４２４４号公報
【特許文献２】特開２００３−２２１９２４号公報
【特許文献３】特開２００７−３０９０５１号公報
【発明の概要】
【発明が解決しようとする課題】
【０００６】
しかしながら、蓄電ユニットなどの重量のある設備を固定する場合は、建物の１階と２階とでは地震時に作用する力が異なるため、接合箇所の数や位置を一律に決めることができない。
【０００７】
そこで、本発明は、重量物を固定するために必要な接合手段の数及び位置を現場で容易に把握することができる重量物の設置構造を提供することを目的としている。
【課題を解決するための手段】
【０００８】
前記目的を達成するために、本発明の重量物の設置構造は、床板の上に重量物を固定する際の重量物の設置構造であって、前記床板と前記重量物との間に介在させる前記重量物よりも平面積の大きな補強板と、前記補強板を通って前記床板に貫入されることによって双方を接合させる第１接合手段と、前記補強板及び前記床板に貫入されることによって前記重量物を前記床板に接合させる第２接合手段とを備え、前記補強板には、前記第１接合手段を貫入させる位置に目印又は孔が設けられていることを特徴とする。
【０００９】
ここで、前記目印又は孔は、前記補強板が配置される建物の階数によっていずれを使用するかを判別可能とすることができる。
【００１０】
また、決められた位置に配置された床支持材に支持される床板の上に重量物を固定するに際して、前記補強板には、前記床板上方の所定の位置に配置されたときに前記床支持材と干渉しない位置に予め貫通孔が穿孔されている構成とすることができる。
【００１１】
さらに、前記床板と前記補強板との間には、床仕上材が介在されていてもよい。
【発明の効果】
【００１２】
このように構成された本発明の重量物の設置構造は、床板と重量物との間に重量物よりも平面積の大きな補強板を介在させる。そして、この補強板には、第１接合手段を貫入させる位置に目印又は孔が設けられている。
【００１３】
このため、重量物を固定するために必要な接合手段の数及び位置を現場で容易に把握することができる。
【００１４】
また、補強板が配置される建物の階数によっていずれの目印又は孔を使用するかが判別可能となっていれば、地震時に必要とされる接合強度が大きくなる建物の上階に設置する場合でも、漏れなく第１接合手段による接合を行うことができる。
【００１５】
さらに、補強板が床板上方の所定の位置に配置されたときに床支持材と干渉しない位置に、予め貫通孔が穿孔されていれば、配線等のための孔の穿孔可能位置を容易に特定することができる。
【００１６】
そして、上述した重量物の設置構造は、下地となる床板の上に別途床仕上材が敷設されているような床に対しても、床仕上材を剥がすことなく適用することができる。
【図面の簡単な説明】
【００１７】
【図１】本実施の形態の重量物の設置構造の構成を説明するための断面図である。
【図２】接合手段によって接合を行う位置を説明する図であって、（ａ）は補強板の平面図、（ｂ）は重量物となる蓄電ユニットの底板の平面図である。
【図３】補強板を配置する工程を説明する斜視図である。
【図４】補強板を固定する工程を説明する斜視図である。
【図５】床に孔を穿孔する工程を説明する斜視図である。
【図６】補強板の上に蓄電ユニットを設置した状態を示した斜視図である。
【図７】実施例の重量物の設置構造の構成を説明するための断面図である。
【図８】実施例の重量物の設置構造の構成を説明するための平面図である。
【発明を実施するための形態】
【００１８】
以下、本発明の実施の形態について図面を参照して説明する。図１は、本実施の形態の重量物の設置構造の構成を示した説明図である。ここで、重量物としては、建物の内部に設置される蓄電ユニット５を例に説明する。
【００１９】
また、図１では、べた基礎１４の上方に設けられる１階の床１を例に説明するが、２階以上の床に設置する場合においても、同様の設置構造とすることができる。
【００２０】
この１階の床１は、べた基礎１４の上方に床下空間１ａを挟んで設けられる。この床１は、床梁（図示省略）間に平行に架け渡される床支持材としての床小梁１３，・・・と、床梁及び床小梁１３，・・・に支持される床板としての床下地板１１と、床下地板１１の上面に敷設される床仕上材１２とによって主に構成される。
【００２１】
床小梁１３は、角形鋼管や形鋼や木質の角材などによって形成される。この床小梁１３の位置を把握することなく床１上から床下空間１ａに向けて孔を穿孔すると、木質の床小梁１３であれば切断され、鋼製の床小梁１３であれば床下空間１ａへの貫通が阻止されることになる。
【００２２】
一方、床下地板１１は、パーティクルボードや合板などによって形成される。また、床仕上材１２は、床１の表面に露出されるフローリング板、クッションフロア、カーペットなどが該当する。
【００２３】
そして、本実施の形態では、予め屋内に設けられた納戸やクローゼットなどの収納室２の床１に、蓄電ユニット５を設置する。この収納室２は、図１−３に示すように、間仕切壁２２に対して直交するように突出される一対の隔壁２１，２１の間に形成される。
【００２４】
収納室２の前面側は、図２に示すように折り戸や開き戸などの建具２４が取り付けられる。また収納室２には、図１に示すように、床１面と平行となるように棚板２３，・・・が配置されている。
【００２５】
以下では、この収納室２の最下段の棚板２３と床仕上材１２との間に、蓄電ユニット５を収容する際の設置構造について説明する。この蓄電ユニット５は、底板５１を有する函体５３と、その函体５３の内空に収容される蓄電池５４と、蓄電池５４から函体５３の外部に引き出されるケーブル５５とによって主に構成される。
【００２６】
そして、蓄電ユニット５の設置構造は、床下地板１１と蓄電ユニット５との間に介在させる補強板３と、補強板３を通って床下地板１１に貫入されることによって双方を接合させる第１接合手段（４１，４２）と、補強板３及び床下地板１１に貫入されることによって蓄電ユニット５を床下地板１１に接合させる第２接合手段（４３）とによって主に構成される。
【００２７】
補強板３は、図２（ａ）に示すように、蓄電ユニット５の平面積よりも平面積の大きな長方形の板材である。補強板３は、パーティクルボードや合板などによって形成される。
【００２８】
本実施の形態の補強板３には、ケーブル５５を通すための貫通孔３１が穿孔されている。この貫通孔３１の数や位置は、任意に設定することができる。ここでは、補強板３の短辺に沿って３つの貫通孔３１，・・・が設けられる場合について説明する。
【００２９】
この貫通孔３１，・・・は、図３に示すように、床１上の所定の位置に配置されたときに床小梁１３，・・・と干渉しない位置に穿孔される。ここで、所定の位置とは、例えば間仕切壁２２からの距離で規定できる位置をいう。
【００３０】
要するに、間仕切壁２２と床小梁１３，・・・との位置関係がわかっている場合に、間仕切壁２２に沿って補強板３を配置したときに床小梁１３，・・・と干渉しない位置に貫通孔３１，・・・を設けておく。
【００３１】
こうすることで現場では、補強板３を間仕切壁２２に沿わせて配置するだけで、ケーブル５５の配線等のための孔１２ａ（図１参照）の穿孔可能位置を容易に特定することができる。そして、この孔１２ａ及び貫通孔３１を利用して、図１に示すように、蓄電ユニット５のケーブル５５を床下空間１ａに導くことができる。
【００３２】
さらに、補強板３には、第１接合手段（４１，４２）を貫入させる位置に、目印又は孔が設けられる。図２（ａ）には、黒丸の目印３２Ａ，・・・と、白丸の目印３２Ｂ，・・・とを図示した。
【００３３】
この黒丸で示した目印３２Ａは、建物の１階に蓄電ユニット５を設置する場合に必要となる接合箇所を示している。一方、白丸の目印３２Ｂは、建物の２階に蓄電ユニット５を設置する場合に、目印３２Ａ，・・・の接合箇所に加えて必要となる接合箇所を示している。
【００３４】
すなわち蓄電ユニット５のように重量のあるものを固定する場合には、地震によって水平方向の加速度が作用しても、緩みや移動が生じないような接合強度にする必要がある。
【００３５】
この地震による水平方向の加速度は、建物の１階よりは２階の方が大きくなるので、２階に設置する場合の方が接合強度を高める必要がある。そこで、２階に設置する場合は、すべての目印３２Ａ，３２Ｂ，・・・において接合を行うようにする。
【００３６】
この補強板３を床下地板１１に接合させるための第１接合手段には、例えば図４に示すように、ビス４１又はタッピンねじ４２が使用される。ここで、タッピンねじ４２は、蓄電ユニット５に隠れて外部からは視認できなくなる位置の接合に用いられる。
【００３７】
一方ビス４１は、外部からは視認可能な位置の接合に用いられる。ビス４１は、座金４１ｂに通して補強板３にねじ込まれ、頭部にはキャップ４１ａが嵌められる。このようにビス４１の頭部はキャップ４１ａに覆われるので、外観を損なわれることがない。
【００３８】
そして、ビス４１及びタッピンねじ４２は、図１に示すように、補強板３及び床仕上材１２を通って床下地板１１に貫入される。ここでは、床下地板１１を貫通したビス４１及びタッピンねじ４２の先端が、床下空間１ａに突出した状態となっている。
【００３９】
例えば、20mm程度の厚さの補強板３と、10mm程度の厚さの床仕上材１２と、20mm程度の厚さの床下地板１１とが積層されている場合に、60mmのビス４１（タッピンねじ４２）をねじ込めば、先端を床下空間１ａに突出させることができる。
【００４０】
一般に板厚ｔmmの板に深さｔmmでねじ込まれたねじの接合強度に寄与する有効深さｋは、（t-5）mmと考えられている。このため板厚20mmの床下地板１１に深さ20mmでねじ込まれたビス４１（タッピンねじ４２）の有効深さｋ1は、（20-5）＝15mmとなる。
【００４１】
他方、重ね合せた床下地板１１と補強板３の両方にわたって深さ40mm（床仕上材１２の板厚は無視する）でねじ込まれたビス４１（タッピンねじ４２）の有効深さｋ2は、（40-5）＝35mmとなる。
【００４２】
このため、重ね合せた床下地板１１と補強板３の両方にわたってビス４１（タッピンねじ４２）をねじ込んだときの接合強度は、床下地板１１のみにねじ込んだときの接合強度と比べて、ｋ2／ｋ1＝35／15＝2.3倍となり、重ね合せによる板厚の増加割合である２倍以上の補強効果が得られる。
【００４３】
このようにビス４１（タッピンねじ４２）１本当たりの接合強度が高くなれば、使用本数を少なくすることができる。また、床１の上からの固定作業のみで強固に固定することができる。
【００４４】
一方、第２接合手段としてのタッピンねじ４３によって、蓄電ユニット５を補強板３及び床下地板１１に接合させる。このタッピンねじ４３は、図１に示すように、蓄電ユニット５の底板５１から補強板３及び床仕上材１２を通って床下地板１１に貫入される。
【００４５】
このタッピンねじ４３も、床下地板１１を貫通して先端が床下空間１ａに突出した状態となっている。そして、底板５１には、タッピンねじ４３を貫入させる位置に、目印又は孔が設けられる。
【００４６】
図２（ｂ）には、タッピンねじ４３を貫入させる位置に、黒丸の目印５２Ａ，・・・と、白丸の目印５２Ｂ，・・・とを図示した。この黒丸で示した目印５２Ａは、１階に蓄電ユニット５を設置する場合に必要となる接合箇所を示している。一方、白丸の目印５２Ｂは、２階に蓄電ユニット５を設置する場合に、目印５２Ａ，・・・の接合箇所に加えて必要となる接合箇所を示している。
【００４７】
次に、本実施の形態の蓄電ユニット５の設置構造の構築方法について、図３−図６を参照しながら説明する。
【００４８】
まず、工場などにおいて、予め補強板３を製作する。すなわち、長方形のパーティクルボードの所定の位置に貫通孔３１，・・・を穿孔し、縁部に沿って目印３２Ａ，３２Ｂ，・・・を設ける。
【００４９】
このようにして製作された補強板３を、リフォームなどを行う建物がある現場まで搬送する。そして、図３に示すように、収納室２の床１の上に補強板３を配置する。
【００５０】
補強板３は、収納室２の奥行き方向の壁面を形成する間仕切壁２２に長辺を合わせるようにして配置する。この間仕切壁２２と床１下の床小梁１３，・・・との位置関係は、補強板３を製作する際に把握されている。
【００５１】
そこで、貫通孔３１，・・・は、補強板３の長辺を間仕切壁２２に接触又は10mm程度の僅かな隙間を開けて隣接させたときに、床小梁１３，１３間に配置される位置に合わせて穿孔される。
【００５２】
続いて、収納室２が１階にある場合は、図４に示すように、目印３２Ａ，・・・の位置にビス４１又はタッピンねじ４２をねじ込む。ビス４１及びタッピンねじ４２は、図１に示すように、補強板３、床仕上材１２及び床下地板１１を貫通して先端が床下空間１ａに突出するまでねじ込まれる。
【００５３】
続いて、図５に示すように、ホールソーＨを貫通孔３１に合わせ、床仕上材１２及び床下地板１１を貫通する孔１２ａを穿孔する（図１参照）。ここで、補強板３の貫通孔３１は、床小梁１３と干渉しない位置に設けられているので、貫通孔３１から真下に向けて穿孔を行っても、床小梁１３を損傷させることはない。
【００５４】
このようにして床１に固定された補強板３の上に、図６に示すように蓄電ユニット５の函体５３を載せ、底板５１の目印５２Ａ，・・・の位置（図２（ｂ）参照）にタッピンねじ４３，・・・をねじ込む。
【００５５】
タッピンねじ４３は、図１に示すように、補強板３、床仕上材１２及び床下地板１１を貫通して先端が床下空間１ａに突出するまでねじ込まれる。このタッピンねじ４３によって、蓄電ユニット５は、直接、床１に固定されることになる。
【００５６】
また蓄電ユニット５は、タッピンねじ４３を介して補強板３にも接合されるので、補強板３を介しても床１に固定されたことになる。こうして床１に固定された蓄電ユニット５のケーブル５５は、図１に示すように、貫通孔３１及び孔１２ａに通されて、床下空間１ａに導かれる。
【００５７】
次に、本実施の形態の蓄電ユニット５の設置構造の作用について説明する。
【００５８】
このように構成された本実施の形態の蓄電ユニット５の設置構造は、床下地板１１を備えた床１と蓄電ユニット５との間に、蓄電ユニット５の平面積よりも平面積の大きな補強板３を介在させる。
【００５９】
そして、この補強板３には、床１の所定の位置（本実施の形態では、間仕切壁２２に補強板３の長辺を隣接させた位置）に配置されたときに床小梁１３，・・・と干渉しない位置に、予め貫通孔３１，・・・が穿孔されている。
【００６０】
このため、補強板３を介して蓄電ユニット５を床１に固定できるだけでなく、ケーブル５５などの配線等のための孔１２ａの穿孔可能位置を、現場で容易に特定することができる。
【００６１】
また、補強板３のビス４１又はタッピンねじ４２を貫入させる位置に目印３２Ａ，３２Ｂ，・・・が設けられていれば、固定のために必要な接合手段の数及び位置を、現場において容易に把握することができる。
【００６２】
さらに、補強板３が配置される建物の階数によっていずれの目印３２Ａ，３２Ｂを使用するかが判別可能となっていれば、地震時に必要とされる接合強度が大きくなる上階に設置する場合でも、漏れなくビス４１及びタッピンねじ４２による接合を行うことができる。
【００６３】
そして、上述したように蓄電ユニット５の設置構造は、床下地板１１の上に別途床仕上材１２が敷設されている床１に対しても、床仕上材１２を剥がすことなく適用することができる。
【実施例】
【００６４】
以下、前記した実施の形態の重量物の設置構造とは別の形態の実施例について、図７，８を参照しながら説明する。なお、前記実施の形態で説明した内容と同一乃至均等な部分の説明については、同一符号や同一用語を付して説明する。
【００６５】
前記実施の形態では、補強板３の貫通孔３１を利用して床仕上材１２及び床下地板１１を貫通する孔１２ａを穿孔し、床下空間１ａに蓄電ユニット５のケーブル５５を導く場合について説明した。これに対して本実施例では、蓄電ユニット５のケーブル５５Ａを、外壁２５を通して屋外に導く場合について説明する。
【００６６】
本実施例の補強板３Ａには、前記実施の形態で説明した補強板３のような貫通孔３１，・・・が穿孔されていない。それ以外の構成については同じであるため、詳細な説明は省略する。
【００６７】
蓄電ユニット５の蓄電池５４から函体５３の外部に引き出されるケーブル５５Ａは、外壁２５に穿孔された貫通孔２６を通って、図８に示すように屋外に取り付けられた防水ボックス５６に接続される。
【００６８】
このように、床下空間１ａにケーブル５５Ａを導かない場合は、補強板３Ａへの貫通孔の穿孔を省略することができる。
【００６９】
なお、他の構成及び作用効果については、前記実施の形態と略同様であるので説明を省略する。
【００７０】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００７１】
例えば、前記実施の形態及び実施例では、重量物として蓄電ユニット５を例に説明したが、これに限定されるものではなく、床置き型の暖房装置や便器などの設備を床１に固定する場合にも、本発明を適用することができる。
【００７２】
また、前記実施の形態では、間仕切壁２２を使って位置合わせを行ったが、これに限定されるものではない。例えば、建物が複数の建物ユニットを連結させて構築されるユニット住宅の場合は、工場で製作される建物ユニットの床小梁１３，・・・の位置が正確に把握されている。このため、建物ユニット間の境界からの距離で補強板３の位置合わせをすることで、容易に床小梁１３，・・・との干渉を避けることができる。
【００７３】
さらに、前記実施の形態及び実施例では、補強板３に目印３２Ａ，３２Ｂを設ける場合について説明したが、これに限定されるものではなく、誘導用の下孔を補強板に穿孔しておくこともできる。この場合は、下孔の周囲に色を付けるなどして１階用と２階用を判別可能にすることができる。
【００７４】
また、前記実施の形態及び実施例では、床板となる床下地板１１の上に床仕上材１２が敷設されている場合について説明したが、これに限定されるものではなく、床板が表面に露出するような床に対しても、本発明を適用することができる。
【００７５】
さらに、前記実施の形態及び実施例では、床支持材として床小梁１３を例に説明したが、これに限定されるものではなく、床梁や床根太などが床支持材となっていてもよい。
【００７６】
また、前記実施の形態では、第１接合手段及び第２接合手段についてビスやタッピンねじを例に説明したが、これに限定されるものではなく、ねじ、釘、ボルトなどのいずれの棒状接合手段であっても使用することができる。
【符号の説明】
【００７７】
１１            床下地板（床板）
１２            床仕上材
１２ａ          孔
１３            床小梁（床支持材）
３，３Ａ        補強板
３１            貫通孔
３２Ａ，３２Ｂ  目印
４１            ビス（第１接合手段）
４２            タッピンねじ（第１接合手段）
４３            タッピンねじ（第２接合手段）
５              蓄電ユニット（重量物）
【図１】
0006497865.tif 000002
【図２】
0006497865.tif 000003
【図３】
0006497865.tif 000004
【図４】
0006497865.tif 000005
【図５】
0006497865.tif 000006
【図６】
0006497865.tif 000007
【図７】
0006497865.tif 000008
【図８】
0006497865.tif 000009